(57)【要約】【課題】  マスタ表示装置とスレーブ表示装置との連携を図り、スレーブ表示装置からマスタ表示装置を介した種々の操作を可能とする。【解決手段】  スレーブ表示装置のスレーブ制御部がメニュー操作処理を実行する。具体的には、ショートカットメニューを取得し（Ｓ２００）、そのメニューの使用状態を検出し（Ｓ２１０）、使用中かつ重複使用不可の場合は（Ｓ２２０：ＹＥＳ）メニューの暗表示を行い、そうでない場合はショートカットメニューの明表示を行う（Ｓ２４０）。このメニューが選択されると（Ｓ２６０：ＹＥＳ）、マスタ表示装置の機能を呼び出し（Ｓ２７０）、操作画面を表示する（Ｓ２８０）。【選択図】図５
2014071824.tif 000002
【特許請求の範囲】
【請求項１】
各種ユニット（１５，１６，１７）を操作するための端末機能を有するマスタ表示装置（１０）と、当該マスタ表示装置との間でデータ通信を行い、前記マスタ表示装置の前記端末機能を呼び出すことで前記マスタ表示装置を介し操作部（２２）からの前記ユニットの操作が可能なスレーブ表示装置（２０）とを備えたユニット操作システムであって、
前記スレーブ表示装置は、
前記端末機能を呼び出すための呼出メニューを表示する呼出メニュー表示手段（２１ａ）と、
前記呼出メニュー表示手段にて表示された前記呼出メニューが選択されると、前記マスタ表示装置の前記端末機能を呼び出し、前記呼出メニューに対応する操作画面を表示部（２３）に表示する操作画面表示手段（２１ｂ）とを備えていること
を特徴とするユニット操作システム。
【請求項２】
請求項１に記載のユニット操作システムにおいて、
前記呼出メニュー表示手段は、前記呼出メニューを選択可／選択不可のいずれかの態様で表示すること（Ｓ２３０，Ｓ２４０）
を特徴とするユニット操作システム。
【請求項３】
請求項２に記載のユニット操作システムにおいて、
前記呼出メニュー表示手段は、前記呼出メニューに対応する前記マスタ表示装置の前記端末機能が使用中であり、かつ、前記端末機能の重複実行が不可である場合、前記呼出メニューを選択不可の態様で表示すること（Ｓ２２０：ＹＥＳ，Ｓ２３０）
を特徴とするユニット操作システム。
【請求項４】
請求項１〜３の何れか一項に記載のユニット操作システムにおいて、
前記呼出メニューとして登録され得る登録対象メニューを表示する登録メニュー表示手段（１１ａ）と、
前記登録メニュー表示手段にて表示された前記登録対象メニューが選択されると、当該登録対象メニューを前記呼出メニューとして決定する決定手段（１１ｂ）と、
を備えていることを特徴とするユニット操作システム。
【請求項５】
請求項４に記載のユニット操作システムにおいて、
前記登録メニュー表示手段は、前記登録対象メニューを選択可／選択不可のいずれかの態様で表示すること（Ｓ１５０）
を特徴とするユニット操作システム。
【請求項６】
請求項５に記載のユニット操作システムにおいて、
前記登録メニュー表示手段は、前記呼出メニューとして登録可能な前記登録対象メニューを選択可の態様で表示すること（Ｓ１５０）
を特徴とするユニット操作システム。
【請求項７】
請求項４〜６の何れか一項に記載のユニット操作システムにおいて、
前記登録メニュー表示手段は、複数台のスレーブ表示装置がある場合、当該スレーブ表示装置のリスト表示を行い、前記呼出メニューの登録先となるスレーブ表示装置の選択をユーザに促すこと（Ｓ１１０：ＹＥＳ，Ｓ１２０，Ｓ１３０）
を特徴とするユニット操作システム。
【請求項８】
請求項７に記載のユニット操作システムにおいて、
前記登録メニュー表示手段は、前記呼出メニューの登録先となり得るスレーブ表示装置を選択可／選択不可のいずれかの態様で表示すること（Ｓ１２０）
を特徴とするユニット操作システム。
【請求項９】
請求項８に記載のユニット操作システムにおいて、
前記登録メニュー表示手段は、前記呼出メニューの登録が可能であるスレーブ表示装置を選択可の態様で表示すること（Ｓ１２０）
を特徴とするユニット操作システム。
【請求項１０】
請求項４に記載のユニット操作システムにおいて、
前記決定手段は、前記登録対象メニューが所定操作で選択されると、前記呼出メニューの登録先となり得るスレーブ表示装置を検索し、登録可能である場合には前記登録対象メニューを前記呼出メニューとして決定すること（Ｓ４１０：ＹＥＳ，Ｓ４２０，Ｓ４３０：ＹＥＳ，Ｓ４４０）
を特徴とするユニット操作システム。
【請求項１１】
請求項１〜１０の何れか一項に記載のユニット操作システムにおいて、
前記スレーブ表示装置は、前記呼出メニューを削除する削除手段（２１ｃ）を備えていること
を特徴とするユニット操作システム。
【請求項１２】
各種ユニット（１５，１６，１７）を操作するための端末機能を有するマスタ表示装置（１０）との間でデータ通信を行い、前記マスタ表示装置の前記端末機能を呼び出すことで前記マスタ表示装置を介し操作部（２２）からの前記ユニットの操作が可能なスレーブ表示装置（２０）であって、
前記端末機能を呼び出すための呼出メニューを表示する呼出メニュー表示手段（２１ａ）と、
前記呼出メニュー表示手段にて表示された前記呼出メニューが選択されると、前記マスタ表示装置の前記端末機能を呼び出し、前記呼出メニューに対応する操作画面を表示部に表示する操作画面表示手段（２１ｂ）と、
を備えていることを特徴とするスレーブ表示装置。
【請求項１３】
各種ユニット（１５，１６，１７）を操作するための端末機能を有するマスタ表示装置（１０）であって、
前記マスタ表示装置との間でデータ通信を行い、前記マスタ表示装置の前記端末機能を呼び出すことで前記マスタ表示装置を介し操作部（２２）からの前記ユニットの操作が可能なスレーブ表示装置（２０）とともに用いられ、
前記スレーブ表示装置は、
前記端末機能を呼び出すための呼出メニューを表示する呼出メニュー表示手段（２１ａ）と、
前記呼出メニュー表示手段にて表示された前記呼出メニューが選択されると、前記マスタ表示装置の前記端末機能を呼び出し、前記呼出メニューに対応する操作画面を表示部に表示する操作画面表示手段（２１ｂ）と、を備えており、
前記呼出メニューとして登録され得る登録対象メニューを表示する登録メニュー表示手段（１１ａ）と、
前記登録メニュー表示手段にて表示された前記登録対象メニューが選択されると、当該登録対象メニューを前記呼出メニューとして決定する決定手段（１１ｂ）と、
を備えていることを特徴とするマスタ表示装置。
【発明の詳細な説明】
【技術分野】
【０００１】
本発明は、車両などに搭載されるユニット操作システムに関する。
【背景技術】
【０００２】
近年、車両に複数の表示装置が搭載されることも珍しくない。例えば運転者及び助手席同乗者への情報提供を行う前席用の表示装置とは別に、後席同乗者への情報提供を行う後席用の表示装置を備えているという具合である。
【０００３】
このような表示装置は、一般的に、インパネ部のものが「マスタ表示装置」となっており、その他のものが「スレーブ表示装置」となっている。このとき、マスタ表示装置は、ナビゲーション装置やオーディオ装置の操作を可能とする情報端末としても機能する。一方、スレーブ表示装置は、マスタ表示装置から送信されるＴＶ映像あるいはＤＶＤ映像を表示する単なるモニタという位置づけにある。
【０００４】
したがって、後席同乗者は、例えばオーディオ装置の操作を行いたい場合、助手席同乗者や運転者に、マスタ表示装置の操作を依頼する必要があった。また、マスタ表示装置を遠隔操作するためのリモートコントロール端末もあるが、後部座席からではマスタ表示装置の操作画面が見難いといった課題もある。
【０００５】
従来、マスタ表示装置としての「フロントモニタ」からスレーブ表示装置としての「リアモニタ」を操作し易くするためにオリジナルメニューを登録する技術が提案されている（例えば、特許文献１参照）。
【先行技術文献】
【特許文献】
【０００６】
【特許文献１】特開２００６−１０３４５０号公報
【発明の概要】
【発明が解決しようとする課題】
【０００７】
しかしながら、上記特許文献１に記載の技術は、あくまでもフロントモニタでの操作を主としたものであり、後席同乗者の操作性向上についての提案ではない。また、リアモニタで表示対象となるのはＡＶ機器の情報に限定されている。
【０００８】
本発明は、上述した課題を解決するためになされたものであり、その目的は、マスタ表示装置とスレーブ表示装置との連携を図り、スレーブ表示装置からマスタ表示装置を介した種々の操作を可能とすることにある。
【課題を解決するための手段】
【０００９】
上記目的を達成するためになされたユニット操作システムは、マスタ表示装置（１０）と、スレーブ表示装置（２０）とを備えている。
マスタ表示装置（１０）は、各種ユニット（１５，１６，１７）を操作するための端末機能を有する。ここで各種ユニットとして、ナビゲーション機能を有するナビユニット、オーディオ機能を有するＡＶユニット、通信機能を有する通信ユニットが例示される。
【００１０】
一方、スレーブ表示装置（２０）は、マスタ表示装置との間でデータ通信を行い、マスタ表示装置の端末機能を呼び出すことでマスタ表示装置を介し操作部（２２）からのユニットの操作が可能となっている。
【００１１】
ここで特に、スレーブ表示装置では、呼出メニュー表示手段（２１ａ）が、端末機能を呼び出すための呼出メニューを表示する。呼出メニュー表示手段にて表示された呼出メニューが選択されると、操作画面表示手段（２１ｂ）によって、マスタ表示装置の端末機能が呼び出され、呼出メニューに対応する操作画面が表示部（２３）に表示される。
【００１２】
したがって、スレーブ表示装置では、表示部の操作画面に従ったユニットの操作が可能となる。これにより、マスタ表示装置とスレーブ表示装置との連携を図ることができ、スレーブ表示装置からマスタ表示装置を介した種々の操作を行うことができる。
【図面の簡単な説明】
【００１３】
【図１】ユニット操作システムの概略構成を示すブロック図である。
【図２】マスタ表示装置における登録処理を示すフローチャートである。
【図３】登録処理における画面を例示する説明図である。
【図４】登録処理における画面を例示する説明図である。
【図５】スレーブ表示装置におけるメニュー操作処理を示すフローチャートである。
【図６】スレーブ表示装置における削除処理を示すフローチャートである。
【図７】マスタ表示装置における登録処理の別例を示すフローチャートである。
【図８】スレーブ表示装置における登録処理を示すフローチャートである。
【発明を実施するための形態】
【００１４】
以下、本発明の実施形態を図面に基づいて説明する。
図１に示すユニット操作システムは、マスタ表示装置１０及び、スレーブ表示装置２０を備えている。
【００１５】
マスタ表示装置１０は、マスタ制御部１１を中心に構成されている。マスタ制御部１１は、いわゆるコンピュータシステムとして構成され、ＣＰＵ、ＲＯＭ、ＲＡＭ、Ｉ／Ｏ及びこれらを接続するバスラインなどを有している。
【００１６】
マスタ制御部１１には、マスタ操作部１２、マスタ表示部１３、マスタ通信部１４、ナビユニット１５、ＡＶユニット１６、通信ユニット１７、及び、リモコンセンサ１８が接続されている。
【００１７】
マスタ操作部１２は、ユーザからの各種指示を入力するための構成であり、マスタ表示部１３と一体に構成されたタッチパネルとして具現化されている。
マスタ表示部１３は、ナビゲーションのための地図やオーディオ情報など、各種情報の表示を行うための構成である。具体的には、液晶等のディスプレイを用いて構成される。
【００１８】
マスタ通信部１４は、スレーブ表示装置２０との間でデータ通信を行うための構成である。ここでのデータ通信は、有線方式のものであってもよいし、無線方式ものとしてもよい。
【００１９】
ナビユニット１５は、ナビゲーション機能を実現するためのユニットである。ナビゲーション機能には、地図表示、目的地検索、ルート探索、及び、ルート案内などの機能が含まれる。
【００２０】
ＡＶユニット１６は、オーディオ機能を実現するためのユニットである。オーディオ機能には、ＣＤなどからの録音、曲名検索、及び音楽再生などの機能が含まれる。
通信ユニット１７は、携帯電話機３７を介し、外部との通信を行うための構成である。具体的には、ネットワークなどを介したデータ通信により、ニュースなどを受信することが考えられる。
【００２１】
リモコンセンサ１８は、リモートコントロール端末（以下「リモコン」という）３８からの赤外線信号を受信する。これにより、リモコン３８を用いたマスタ表示装置１０の遠隔操作が可能となる。
【００２２】
一方、スレーブ表示装置２０は、スレーブ制御部２１を中心に構成されている。スレーブ制御部２１は、マスタ制御部１１と同様、いわゆるコンピュータシステムとして構成されている。
【００２３】
スレーブ制御部２１には、スレーブ操作部２２、スレーブ表示部２３、及び、スレーブ通信部２４が接続されている。
スレーブ操作部２２は、マスタ操作部１２と同様、ユーザからの各種指示を入力するための構成であり、スレーブ表示部２３と一体に構成されたタッチパネルとして具現化されている。
【００２４】
スレーブ表示部２３は、マスタ表示部１３と同様、ナビゲーションのための地図やオーディオ情報など、各種情報の表示を行うための構成である。具体的には、液晶等のディスプレイを用いて構成される。
【００２５】
スレーブ通信部２４は、マスタ表示装置１０との間でデータ通信を行うための構成である。具体的には、マスタ表示装置１０のマスタ通信部１４との間でデータ通信を行う。もちろん、有線方式のものとしてもよいし、無線方式のものとしてもよい。
【００２６】
なお、ここではスレーブ表示装置２０が１台だけ接続された状態を示したが、２台以上のスレーブ表示装置２０を接続することも可能である。
従来のスレーブ表示装置は、マスタ表示装置から送信されるＴＶ映像やＤＶＤ映像を再生するモニタとして位置づけられている。これに対し、本実施形態では、マスタ表示装置１０の機能をスレーブ表示装置２０から呼び出せるようにし、次に示す登録処理によって、マスタ表示装置１０の所定機能を呼び出すショートカットボタンを、スレーブ表示装置２０に登録する。
【００２７】
そこで、次に、図２のフローチャートに基づき、登録処理を説明する。この登録処理は、マスタ表示装置１０のマスタ制御部１１で実行され、スレーブ表示装置２０へのショートカット登録が可能なメニュー表示が行われたときに、実行される。
【００２８】
最初のＳ１００では、登録スイッチが押されたか否かを判断する。例えば図３（ａ）に示すように、ショートカット登録が可能なメニュー表示が行われると、登録処理が実行される。図３（ａ）は、目的地検索におけるメニュー表示であり、記号ｂ１で示す住所検索ボタン、記号ｂ２で示す施設検索ボタン、記号ｂ３で示す電話番号検索ボタン、記号ｂ４で示す履歴検索ボタン、記号ｂ５で示す５０音検索ボタンが表示されている。そして、このとき、このメニュー画面に比較的小さなボタンであるポチボタンスイッチ（記号ｐで示した）が登録スイッチとして表示されるという具合である。ユーザは、スレーブ表示装置２０へのショートカット登録を行いたい場合には、この登録スイッチを押下する。ここで登録スイッチが押されたと判断された場合（Ｓ１００：ＹＥＳ）、Ｓ１１０へ移行する。一方、登録スイッチが押されていないと判断された場合（Ｓ１００：ＮＯ）、以降の処理を実行せずに、登録処理を終了する。
【００２９】
Ｓ１１０では、スレーブ表示装置２０が２台以上あるか否かを判断する。上述したように、マスタ表示装置１０に接続されるスレーブ表示装置２０が１台であるとは限らないためである。ここでスレーブ表示装置２０が２台以上あると判断された場合（Ｓ１１０：ＹＥＳ）、Ｓ１２０へ移行する。一方、スレーブ表示装置２０が２台以上ないと判断された場合（Ｓ１１０：ＮＯ）、すなわちスレーブ表示装置２０が１台だけの場合は、Ｓ１２０及びＳ１３０の処理を実行せず、Ｓ１４０へ移行する。
【００３０】
Ｓ１２０では、複数台のスレーブ表示装置２０をリスト表示する。例えば図３（ｂ）に示すごとくである。ここでは、設定メニューとしてスレーブ表示装置２０がリストアップされており、記号ｃ１で示す「スレーブ１へ追加」ボタン、記号ｃ２で示す「スレーブ２へ追加」ボタン、記号ｃ３で示す「スレーブ３へ追加」ボタンという具合にボタン画像が並んでいる。このとき、記号ｃ２で示す「スレーブ２へ追加」ボタンは、暗表示となっており選択不可となっていることを示している（ハッチングを施して示すこととする、以下でも同様）。したがって、ユーザは、記号ｃ１で示す「スレーブ１への追加」ボタン、あるいは、記号ｃ３で示す「スレーブ３への追加」ボタンを選択する。
【００３１】
続くＳ１３０では、リストが選択されたか否かを判断する。例えば「スレーブ１への追加」ボタンや「スレーブ３への追加」ボタンに対応する部分がタッチされた場合、ここで肯定判断される。リストが選択されたと判断された場合（Ｓ１３０：ＹＥＳ）、Ｓ１４０へ移行する。一方、リストが選択されていないうちは（Ｓ１３０：ＮＯ）、Ｓ１２０からの処理を繰り返す。
【００３２】
Ｓ１４０では、登録可能項目を検索する。例えば、図３（ａ）の例であれば、記号ｂ１で示した住所検索、記号ｂ２で示した施設検索、記号ｂ３で示した電話番号検索、記号ｂ４で示した履歴検索、記号ｂ５で示した５０音検索のメニューの中から、登録可能な項目を検索する。登録可能な項目とは、未だショートカット登録されていない項目であることが考えられる。
【００３３】
続くＳ１５０では、ボタンの表示を行う。例えば図３（ｃ）に示すごとくである。ここでは、記号ｂ１で示した住所検索、記号ｂ２で示した施設検索、及び、記号ｂ３で示した電話番号検索の３つのボタンが、暗表示となっており選択不可となっていることを示している。一方、記号ｂ４で示した履歴検索、及び、記号ｂ５で示した５０音検索の２つのボタンは明表示となっており選択可となっていることを示している。したがって、この場合、ユーザは、記号ｂ４で示した履歴検索、あるいは、記号ｂ５で示した５０音検索を選択することになる。
【００３４】
次のＳ１６０では、メニュー選択されたか否かを判断する。この処理は、図３（ｃ）の例で言えば、記号ｂ４で示した履歴検索、あるいは、記号ｂ５で示した５０音検索が選択されることで、肯定判断される。ここでメニュー選択されたと判断された場合（Ｓ１６０：ＹＥＳ）、Ｓ１７０へ移行する。一方、メニュー選択されていないと判断された場合（Ｓ１６０：ＮＯ）、Ｓ１６０の判断処理を繰り返す。
【００３５】
Ｓ１７０では、ボタンの表示を更新する。この処理は、例えば図３（ｃ）の例において記号ｂ４で示した履歴検索が選択された場合、図４（ａ）に示すように、履歴検索のボタンを暗表示として選択済みとするものである。
【００３６】
続くＳ１８０では、情報送信を行う。この処理は、マスタ通信部１４及びスレーブ通信部２４を介し、スレーブ表示装置２０のスレーブ制御部２１へ履歴検索のボタンが選択されたことを送信するものである。これにより、スレーブ表示装置２０のスレーブ表示部２３には、例えば図４（ｂ）に示すような、ショートカットメニューが表示される。ここでは、メニューの１つとして、記号ｍ５で示すように、履歴検索のメニューが追加されている。
【００３７】
次に、スレーブ表示装置２０に登録されたショートカットメニューの操作を行うメニュー操作処理を、図５のフローチャートに基づき説明する。メニュー操作処理は、ユーザがショートカットメニューによる操作を所望し所定操作を行ったときに、スレーブ制御部２１により繰り返し実行される。
【００３８】
最初のＳ２００では、ショートカットメニューの中の１つのメニューを処理対象として取得する。
続くＳ２１０では、Ｓ２００で取得したメニューに対応する機能の使用状態を検出する。この処理は、マスタ表示装置１０において当該メニューの機能を使用しているか否かを検出するものである。具体的には、マスタ表示装置１０のマスタ制御部１１へ当該機能の使用状態を問い合わせる。
【００３９】
次のＳ２２０では、Ｓ２１０による検出の結果、マスタ表示装置１０において使用中であり、かつ、重複使用不可であるか否かを判断する。重複使用不可であるか否かは、予め記憶されたテーブルを参照することで判断する。ここで使用中かつ重複使用不可であると判断された場合（Ｓ２２０：ＹＥＳ）、Ｓ２３０にてメニューの暗表示を行い、当該メニューを選択不可として、Ｓ２５０へ移行する。一方、使用中でない、又は、重複使用可であると判断された場合（Ｓ２２０：ＮＯ）、Ｓ２４０にてメニューの明表示を行い、当該メニューを選択可として、Ｓ２５０へ移行する。
【００４０】
Ｓ２５０では、ショートカットメニューの中に未処理のメニューがあるか否かを判断する。ここで未処理のメニューがあると判断された場合（Ｓ２５０：ＹＥＳ）、Ｓ２００からの処理を繰り返す。一方、全てのメニューについて処理している場合（Ｓ２５０：ＮＯ）、Ｓ２６０へ移行する。
【００４１】
Ｓ２６０では、メニューが選択されたか否かを判断する。ここでメニューが選択されたと判断された場合（Ｓ２６０：ＹＥＳ）、Ｓ２７０へ移行する。一方、メニューが選択されていないと判断された場合（Ｓ２６０：ＮＯ）、Ｓ２７０及びＳ２８０の処理を実行せず、メニュー操作処理を終了する。
【００４２】
Ｓ２７０では、マスタ機能を呼び出す。この処理は、選択されたメニューに対応するマスタ表示装置１０の機能を呼び出すものである。つまり、スレーブ表示装置２０からの指示により、マスタ表示装置１０を動作させるのである。
【００４３】
Ｓ２８０では、操作画面を表示する。この処理は、Ｓ２７０での機能の呼び出しに伴い、通常時はマスタ表示装置１０のマスタ表示部１３に表示される操作画面を、スレーブ表示装置２０のスレーブ表示部２３に表示するものである。
【００４４】
これにより、スレーブ表示装置２０は、マスタ表示装置１０と同様、各種操作を行うための情報端末となる。
次に、スレーブ表示装置２０に登録されたショートカットメニューの削除を行う削除処理を、図６のフローチャートに基づき説明する。削除処理は、ユーザがショートカットメニューからのメニュー削除を所望し所定操作を行ったときに、スレーブ制御部２１により繰り返し実行される。
【００４５】
最初のＳ３００では、ショートカットメニューを表示する。この処理は、例えば図４（ｂ）に示すようなショートカットメニューを表示するものである。
Ｓ３１０では、メニューの一つが長押しされたか否かを判断する。ここで長押しされたと判断された場合（Ｓ３１０：ＹＥＳ）、Ｓ３２０へ移行する。一方、長押しされていないと判断された場合（Ｓ３１０：ＮＯ）、Ｓ３２０及びＳ３３０の処理を実行せず、削除処理を終了する。
【００４６】
Ｓ３２０では、削除範囲へドラッグされたか否かを判断する。Ｓ３１０にて肯定判断された場合は選択したメニューをドラッグできるようになり、ここでは、メニューが削除範囲へドラッグされてドロップされたか否かを判断する。例えば、図４（ｂ）では、記号ｄで示す「Ｄｅｌｅｔｅ」の範囲へドラッグ＆ドロップされたか否かを判断するという具合である。ここで削除範囲へドラッグされたと判断された場合（Ｓ３２０：ＹＥＳ）、Ｓ３３０にて該当するメニューを削除して、その後、削除処理を終了する。一方、削除範囲へドラッグされていないと判断された場合（Ｓ３２０：ＮＯ）、Ｓ３３０の処理を実行せず、削除処理を終了する。
【００４７】
以上詳述したように本実施形態では、スレーブ表示装置２０のスレーブ制御部２１が図５のメニュー操作処理を実行する。具体的には、マスタ表示装置１０の機能を呼び出すためのショートカットメニューを表示し（Ｓ２３０，Ｓ２４０，図４（ｂ）参照）、このメニューが選択されると（Ｓ２６０：ＹＥＳ）、マスタ表示装置１０の機能を呼び出し（Ｓ２７０）、操作画面を表示する（Ｓ２８０）。
【００４８】
すなわち、スレーブ表示装置２０は、端末機能を呼び出すための呼出メニューを表示する呼出メニュー表示手段２１ａと、呼出メニュー表示手段にて表示された呼出メニューが選択されると、マスタ表示装置１０の端末機能を呼び出し、呼出メニューに対応する操作画面をスレーブ表示部２３に表示する操作画面表示手段２１ｂとを備えている。
【００４９】
したがって、スレーブ表示装置２０では、スレーブ表示部２３の操作画面に従ったユニット１５，１６，１７の操作が可能となる。これにより、マスタ表示装置１０とスレーブ表示装置２０との連携を図ることができ、スレーブ表示装置２０からマスタ表示装置１０を介した種々の操作を行うことができる。
【００５０】
また、本実施形態では、ショートカットメニューの各メニューについて、選択可である場合には明表示を行い（図５中のＳ２４０）、選択不可である場合には暗表示を行う（Ｓ２３０）。すなわち、呼出メニュー表示手段２１ａは、呼出メニューを選択可／選択不可のいずれかの態様で表示する。これにより、スレーブ表示装置２０で行える操作が一目瞭然となる。なお、選択可／選択不可が分かる態様で表示すればよく、明暗の表示の他、メニューボタンの表示／非表示や濃淡で表現することも考えられる。他のボタン画像の表示でも同様である。
【００５１】
具体的には、ショートカットメニューに対応する機能が使用中であり、かつ、重複使用が不可である場合に（図５中のＳ２２０：ＹＥＳ）メニューが暗表示される（Ｓ２３０）。すなわち、呼出メニュー表示手段２１ａは、呼出メニューに対応するマスタ表示装置１０の端末機能が使用中であり、かつ、端末機能の重複実行が不可である場合、呼出メニューを選択不可の態様で表示する。これにより、スレーブ表示装置からの適切なユニット操作が可能となる。
【００５２】
さらにまた、本実施形態では、マスタ表示装置１０のマスタ制御部１１が図２の登録処理を実行する。具体的には、登録スイッチが押されたかを判断し（Ｓ１００）、登録スイッチが押された場合（Ｓ１００：ＹＥＳ）、ショートカットメニューとして登録可能なメニューボタンを表示する（Ｓ１５０，図３（ｃ）参照）。そして、このメニューが選択されると（Ｓ１６０：ＹＥＳ）、ボタンの表示を更新し（Ｓ１７０，図４（ａ）参照）、メニューが選択されたことをスレーブ表示装置２０へ送信することで（Ｓ１８０）、ショートカットメニューが登録される。すなわち、呼出メニューとして登録され得る登録対象メニューを表示する登録メニュー表示手段１１ａと、登録メニュー表示手段にて表示された登録対象メニューが選択されると、当該登録対象メニューを呼出メニューとして決定する決定手段１１ｂとを備えている。これにより、マスタ表示装置１０の機能を呼び出すためのメニューを簡単にスレーブ表示装置２０に登録することができる。
【００５３】
このとき、マスタ制御部１１は、登録スイッチが押された場合（図２中のＳ１００：ＹＥＳ）、ショートカットメニューとして登録可能なメニューボタンを明表示する（Ｓ１５０，図３（ｃ）参照）。すなわち、登録メニュー表示手段１１ａは、登録対象メニューを選択可／選択不可のいずれかの態様で表示する。具体的には、登録メニュー表示手段１１ａは、呼出メニューとして登録可能な登録対象メニューを選択可の態様で表示する。これにより、マスタ表示装置１０の機能を呼び出すためのメニューのうちでスレーブ表示装置２０に登録可能なものが簡単に分かる。
【００５４】
また、本実施形態では、図２の登録処理に際し、スレーブ表示装置２０が２台以上あるか否かを判断し（図２中のＳ１１０）、スレーブ表示装置２０が２台以上ある場合には（Ｓ１１０：ＹＥＳ）、スレーブ表示装置２０のリスト表示を行う（Ｓ１２０，Ｓ１３０）。すなわち、登録メニュー表示手段１１ａは、複数台のスレーブ表示装置２０がある場合、当該スレーブ表示装置２０のリスト表示を行い、呼出メニューの登録先となるスレーブ表示装置２０の選択をユーザに促す。これにより、スレーブ表示装置２０が複数台ある場合も比較的簡単にショートカットメニューを作成することができる。
【００５５】
このとき、ショートカットメニューの登録先となるスレーブ表示装置２０を明表示する（図２中のＳ１２０，図３（ｂ）参照）。すなわち、登録メニュー表示手段１１ａは、呼出メニューの登録先となり得るスレーブ表示装置２０を選択可／選択不可のいずれかの態様で表示する。具体的には、登録メニュー表示手段１１ａは、呼出メニューの登録が可能であるスレーブ表示装置２０を選択可の態様で表示する。これにより、スレーブ表示装置２０が複数台ある場合でも、ショートカットメニューの登録可能なスレーブ表示装置２０が一目瞭然となる。
【００５６】
さらにまた、本実施形態では、ショートカットメニューを表示した後（図６中のＳ３００，図４（ｂ）参照）、長押しされたか否かを判断し（Ｓ３１０）、長押しされた後に削除範囲へメニューボタンがドラッグされると（Ｓ３１０：ＹＥＳ，Ｓ３２０：ＹＥＳ）、当該メニューを削除する（Ｓ３３０）。すなわち、スレーブ表示装置２０は、呼出メニューを削除する削除手段２１ｃを備えている。これにより、ショートカットメニューの登録だけでなく、ショートカットメニューの削除も容易に行うことができる。
【００５７】
本発明は、上述した実施形態に何ら限定されるものではなく、その技術的範囲を逸脱しない限り、種々なる形態で実施可能である。
（イ）上記実施形態の図２の登録処理に代え、図７のフローチャートに示す登録処理を採用することが考えられる。この登録処理は、上記実施形態と同様、マスタ表示装置１０のマスタ制御部１１で実行され、スレーブ表示装置２０へのショートカット登録が可能なメニュー表示が行われたときに、実行される。
【００５８】
最初のＳ４００では、投げ上げ操作が行われたか否かを判断する。投げ上げ操作とは、画面上のメニューボタンにタッチした状態で指を上方へ滑らせて、メニューボタンを画面上部へはじき飛ばす操作である。ここで投げ上げ操作が行われたと判断された場合（Ｓ４００：ＹＥＳ）、Ｓ４１０へ移行する。一方、投げ上げ操作が行われていないと判断された場合（Ｓ４００：ＮＯ）、以降の処理を実行せず、登録処理を終了する。
【００５９】
Ｓ４１０では、スレーブ表示装置２０を検索する。この処理は、マスタ表示装置１０に接続されているスレーブ表示装置２０を検索するものである。
続くＳ４２０では、Ｓ４１０にて検索されたスレーブ表示装置２０にショートカットメニューが作成可か否かを判断する。ここで作成可であると判断された場合（Ｓ４２０：ＹＥＳ）、Ｓ４３０にて当該メニューの情報を該当するスレーブ表示装置２０へ送信し、その後、登録処理を終了する。一方、作成不可であると判断された場合（Ｓ４２０：ＮＯ）、Ｓ４４０にて作成不可の演出を行い、その後、登録処理を終了する。作成不可の演出は、例えば投げ上げ操作で画面上部へはじき飛ばされたメニューが画面上部へ衝突して落ちてくるといった演出である。
【００６０】
すなわち、決定手段１１ｂは、登録対象メニューが所定操作で選択されると、呼出メニューの登録先となり得るスレーブ表示装置２０を検索し、登録可能である場合には登録対象メニューを呼出メニューとして決定する。このようにすれば、より直感的な操作で呼び出しメニューとしてのショートカットメニューを登録することができる。
【００６１】
（ロ）上記実施形態では、図２の登録処理をマスタ表示装置１０のマスタ制御部１１が実行している。これに対し、スレーブ表示装置２０にてショートカットメニューの登録が行えるようにしてもよい。
【００６２】
この場合、図８に示すように、最初のＳ５００において、スレーブ表示装置２０のスレーブ表示部２３の登録スイッチが押されたか否かを判断する。画面上の登録スイッチが押されたか否かは、スレーブ表示部２３と一体に構成されたタッチパネルとしてのスレーブ操作部２２からの信号で判断する。ここで登録スイッチが押されたと判断された場合（Ｓ５００：ＹＥＳ）、Ｓ５１０にてマスタ機能を呼び出し、図２のＳ１１０へ移行する。これにより、マスタ制御部１１にてＳ１１０からの処理が実行されるが、あたかもスレーブ制御部２１にて登録処理が実行されているかのごとく、スレーブ操作部２２及びスレーブ表示部２３を介し登録処理が進行する。一方、登録スイッチが押されていないと判断された場合（Ｓ５００：ＮＯ）、登録処理を終了する。
【００６３】
このようにすれば、スレーブ表示装置２０において呼出メニューとしてのショートカットメニューを作成することができるため便利である。
なお、この場合も、上記実施形態と同様、マスタ制御部１１が、登録メニュー表示手段１１ａ及び決定手段１１ｂとして機能し、当該機能を、スレーブ表示装置２０から呼び出すことになる。これに対し、スレーブ表示装置２０のスレーブ制御部２１が登録メニュー表示手段や決定手段として機能する構成としてもよい。
【００６４】
（ハ）上記実施形態では、ショートカットメニューの削除を行う削除処理において、長押しされたか否かを判断し（図６中のＳ３１０）、長押しされたと判断された場合（Ｓ３１０：ＹＥＳ）、メニューが削除範囲へドラッグされたか否かを判断する（Ｓ３２０）。
【００６５】
ただし、このような操作は一例であるため、別の操作方法で削除を行うようにすることも考えられる。例えば、カーソルがメニューボタン上にあるか否かを判断し、カーソルがメニューボタン上あることを前提に、削除指示のボタンが押下された場合、当該メニューを削除するようにしてもよい。このような方法によっても、ショートカットメニューを簡単に削除することができる。
【符号の説明】
【００６６】
１０…マスタ表示装置、１１…マスタ制御部、１１ａ…登録メニュー表示手段、１１ｂ…決定手段、１２…マスタ操作部、１３…マスタ表示部、１４…マスタ通信部、１５…ナビユニット、１６…ＡＶユニット、１７…通信ユニット、１８…リモコンセンサ、２０…スレーブ表示装置、２１…スレーブ制御部、２１ａ…呼出メニュー表示手段、２１ｂ…操作画面表示手段、２１ｃ…削除手段、２２…スレーブ操作部、２３…スレーブ表示部、２４…スレーブ通信部、３７…携帯電話機、３８…リモコン
【図１】
2014071824.tif 000003
【図２】
2014071824.tif 000004
【図３】
2014071824.tif 000005
【図４】
2014071824.tif 000006
【図５】
2014071824.tif 000007
【図６】
2014071824.tif 000008
【図７】
2014071824.tif 000009
【図８】
2014071824.tif 000010